(57)【要約】【課題】    海の支柱のフジツボなどの海棲生物の付着物を潮流を応用して回転しながら潜水と浮上を繰り返し防止する、海の支柱海棲生物付着防止リングを提供する。【解決手段】  浮力のあるリングの側面に、無数の羽根を潮流を受け水の抵抗が増えるように、羽根の裏側では抵抗を減らすような形状を設けて、海の支柱に用いて潮流による抵抗の差を発生させて回転力を発生させる。潮流を受けて回転するリングの内面に無数の凸部を持つ螺旋形を設けて、海の支柱に用いることで、水の抵抗と海の支柱に接して擦る抵抗により、海底に向う推進力とリングの回転変化と浮力のバランスで浮き沈みを繰り返して、海面から海底までの海の支柱のフジツボなどの海棲生物の付着を防止する。【選択図】図３
2009112294.tif 000002
【特許請求の範囲】
【請求項１】
浮力を持つリングの側面に、無数の羽根を潮流を受け水の抵抗が増えるように、羽根の裏側は抵抗を減らすような形状を設けて、対角線側とでは、抵抗の差を発生させて回転力が発生するように、無数の羽根を設けた、海の支柱海棲生物付着防止リング。
【請求項２】
浮力を持つリングが、潮流を受け回転する時、凸部を持つ螺旋形が、水の抵抗と海の支柱に接して擦る抵抗により、海底に向って推進力が発生する形状に、無数の凸部を持つ螺旋形を設けた、海の支柱海棲生物付着防止リング。
【請求項３】
浮力を持つリングの側面に、請求項１記載の無数の羽根を設け、内面に、請求項２記載の無数の凸部を持つ螺旋形を設けて、海の支柱海棲生物付着防止リングを形成した、海の支柱海棲生物付着防止リング。
【発明の詳細な説明】
【技術分野】
【０００１】  本発明は、海の支柱海棲生物付着防止リングに関するものであり、浮力のあるリングの側面と内面に工夫を加えることで、海の支柱を軸に潮流によって回転力を発生させ、推進力により潜水と浮上を繰り返し、フジツボなどの海棲生物の付着を防止するようにしたものである。
【背景技術】
【０００２】  従来から、海の支柱の海棲生物の付着防止具の例として、特許文献１、特許文献２、特許文献３に開示されているものがある。
【特許文献１】  特開    ２００２−３６００８９号公報
【特許文献２】  特開    ２００２−４５０６５号公報
【特許文献３】  特開    ２０００−８３２１号公報
【発明の開示】
【発明が解決しようとする課題】
【０００３】  しかし、従来の海の支柱の海棲生物付着防止具の、特許文献１では、潮流の早いとき、棒状の浮力部が潮流により紐状態を引っ張り、海の支柱にフイットして潮流の速いときほど上下運動が不都合と思われる。また、特許文献２、特許文献３では、海面のフジツボなどの海棲生物などに対応できるが、最低潮位の海中には対応できない。本発明は、このような、不都合を解決することを課題とする。
【課題を解決するための手段】
【０００４】  この課題を解決するための請求項１の発明は、浮力のある海の支柱海棲生物付着防止リングの側面に、無数の羽根を、潮流を受け水の抵抗が増えるように、羽根の裏側は抵抗を減らすような形状を設けて、潮流を受ける対角線側との抵抗の差を発生させる、海の支柱海棲生物付着防止リングである。海の支柱に用いる事で、潮流を受け海の支柱を軸に回転力を発生させる。【０００５】  請求項２の発明は、浮力のある海の支柱海棲生物付着防止リングが潮流により回転するとき、凸部を持つ螺旋形が水の抵抗と海の支柱に接して擦る抵抗により、海底に向って推進力が発生する形状に、無数の凸部を持つ螺旋形を設けた、海の支柱海棲生物付着防止リングである。海の支柱海棲生物防止リングは、潮流を受け回転することで、内面の螺旋形の凸部が海の支柱を軸に接して擦りながら、水と海の支柱の抵抗により、海底に向かって推進力が発生して、回転変化と推進力と浮力のバランスで浮き沈みの動作を繰り返しフジツボなどの海棲生物の付着を防止する。
【発明の効果】
【０００６】  本発明により、海の支柱に浮力のある海棲生物付着防止リングを用いた場合、潮流を受け回転することで、上下動作の不都合は起きず、海の支柱の海面から海底まで深い浅いに関係なく、フジツボなどの海棲生物の付着防止が出来るのである。
【発明を実施するための最良の形態】
【０００７】  図１は、浮力のある海の支柱海棲生物付着防止リングの平面図である。同図に示すように、リングの側面に、無数の、１羽根を潮流を受けたとき水の抵抗が増えるように、潮流を受けた、１羽根の裏側は水の抵抗が減るように無数の、１羽根を設けたことにより、５海の支柱に用いて、潮流を受ける、１羽根の対角線側とでは潮流による水の抵抗の差が発生して、海の支柱を軸に回転力が発生する。【０００８】  図２は、海の支柱に用いた、浮力のある海の支柱海棲生物付着防止リングの立面図である。同図に示すように、海の支柱海棲生物付着防止リングの内面に無数の、３凸部を持つ、２螺旋形が回転する時、水の抵抗により海底に向って推進力が発生する形状に、無数の、３凸部を持つ、２螺旋形を設けたことにより、５海の支柱に用いて潮流を受けて回転するとき、２螺旋形により水をかく時、抵抗が発生して、海底に向って推進力が発生する。【０００９】  図３は、海の支柱に用いた、浮力のある海の支柱海棲生物付着防止リングの全体図である。同図に示すように、海の支柱海棲付着防止リングは潮流を受け回転するとき、内面の、２螺旋形の無数の、３凸部は、５海の支柱に接して擦りながら抵抗で、推進力が促進され、５海の支柱に沿って海底に向って進み、潮流の強弱による、海の支柱海棲生物付着防止リングの、回転変化と推進力と浮力のバランスで浮き沈みの動作を繰り返しながら海面から海底までのフジツボなどの海棲生物の付着を防止する。【００１０】  潮流の止まった時、海の支柱海棲生物付着防止リングは、浮力により海面で波に揺れながら、５海の支柱に接して擦りフジツボなどの海棲生物の付着を防止する。【００１１】  海の支柱海棲生物防止リングの回転方向は、回転するとき、水の抵抗により海底に向って推進力が発生する方向に、内面に無数の凸部をもつ螺旋形を設けると、左右どちらの回転方向でもよい。【００１２】  これら、浮力のある海の支柱海棲生物付着防止リングの重量は排水量より軽い重さで浮力に合わせて決めればよい。また、サイズは海の支柱に合わせて決め、材料は浮力のある物でよい。
【産業上利用可能性】
【００１３】  本発明に係わる、海の支柱海棲生物防止リングを使用することで、フジツボなどの海棲生物の除去作業が削減できて、工業的に量産する事が可能であるため、産業上の利用可能性を有する。
【図面の簡単な説明】
【００１４】
【図１】  海の支柱海棲付着防止リングの平面図である。
【図２】  海の支柱海棲付着防止リングの立面図である。
【図３】  海の支柱に用いた、海の支柱海棲生物付着防止リングの全体図である。
【符号の説明】
【００１５】  １    海棲生物付着防止リングの側面の羽根を示す
２    海棲生物付着防止リングの内面の螺旋形を示す
３    海巣棲生物付着防止リングの内面の螺旋形の凸部をを示す
４    海棲生物付着防止リングを海の支柱に付け外す接続部を示す
５    海の支柱を示す
【図１】
2009112294.tif 000003
【図２】
2009112294.tif 000004
【図３】
2009112294.tif 000005
【手続補正書】
【提出日】平成19年11月30日(2007.11.30)
【手続補正１】
【補正対象書類名】特許請求の範囲
【補正対象項目名】請求項１
【補正方法】変更
【補正の内容】
【請求項１】
海の支柱に用いる、浮力のあるリングの側面に、無数の羽根を設けたことを特徴とする、海の支柱海棲生物付着防止リング。
【手続補正２】
【補正対象書類名】特許請求の範囲
【補正対象項目名】請求項２
【補正方法】変更
【補正の内容】
【請求項２】
海の支柱に用いる、浮力のあるリングの内面に、海面から海底に向かって、回転方向に、無数の凸部を持つ、螺旋形状を設けたことを特徴とする、海の支柱海棲生物付着防止リング。
【手続補正３】
【補正対象書類名】特許請求の範囲
【補正対象項目名】請求項３
【補正方法】削除
【補正の内容】
【手続補正４】
【補正対象書類名】明細書
【補正対象項目名】０００３
【補正方法】変更
【補正の内容】
【０００３】  しかし、従来の海の支柱の海棲生物付着防止具の、特許文献１では、潮流の速い時、棒状の浮力部が潮流により紐状態を引っ張り、海の支柱に纏わり、潮流の速い時ほど海棲生物付着防止具の上下運動が不具合と思われる。また、特許文献２、特許文献３では、海の支柱の海面のフジツボなどの海棲生物などに対応できるが、最低潮位の海中は対応できない。本発明は、このような、不具合を解決することを課題とする。
【手続補正５】
【補正対象書類名】明細書
【補正対象項目名】０００５
【補正方法】変更
【補正の内容】
【０００５】  請求項２の発明は、浮力のある海の支柱海棲生物付着防止リングの内面に、海面から海底に向って、回転方向に、無数の凸部を持つ、螺旋形状を設けた、海の支柱海棲生物付着防止リングである。海の支柱に用いる事で、回転する時、凸部を持つ、螺旋形状は、水の抵抗と海の支柱を軸に接触して回る抵抗により、海の支柱に沿って、海面から海底に向って推進力が発生して、回転変化に伴う推進力と浮力のバランスで浮き沈みの動作を繰り返しフジツボなどの海棲生物の付着を防止する。
【手続補正６】
【補正対象書類名】明細書
【補正対象項目名】０００８
【補正方法】変更
【補正の内容】
【０００８】  図２は、海の支柱に用いた、浮力のある海の支柱海棲生物付着防止リングの立面図である。同図に示すように、浮力のある海の支柱海棲生物付着防止リングの内面に無数の、３無数の凸部を持つ、２螺旋形状を海面から海底に向って回転方向に、設けたことにより、５海の支柱に用いて、１側面の羽根に潮流を受けて、５海の支柱を軸に回転する時、３凸部を持つ、２螺旋形状の受ける水の抵抗で、海の支柱に沿って、海底に向って推進力が発生する。
【手続補正７】
【補正対象書類名】明細書
【補正対象項目名】０００９
【補正方法】変更
【補正の内容】
【０００９】  図３は、海の支柱に用いた、浮力のある海の支柱海棲生物付着防止リングの全体図である。同図に示すように、浮力のある海の支柱海棲生物付着リングは、側面の、１羽根に潮流を受けて、５海の支柱を軸に回転する時、内面の、２螺旋形状の無数の、３凸部は、５海の支柱に接触する抵抗により、海面から海底に向って推進力が促進され、５海の支柱に沿って、海底に進み、潮流の強弱による、海の支柱海棲生物付着防止リングの、回転変化に伴う推進力と浮力のバランスで浮き沈みの動作を繰り返しながら、どの方向の潮流でも、海面から海底までのフジツボなどの海棲生物の付着を防止する。
【手続補正８】
【補正対象書類名】明細書
【補正対象項目名】００１５
【補正方法】変更
【補正の内容】
【００１５】１    海棲生物付着防止リングの側面の羽根を示す
２    海棲生物付着防止リングの内面の螺旋形状を示す
３    海棲生物付着防止リングの内面の螺旋形状の凸部を示す
４    海棲生物付着防止リングを海の支柱に入れ外す接続部を示す
５    海の支柱を示す
【手続補正書】
【提出日】平成20年2月6日(2008.2.6)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
海の支柱に用いる浮力のあるリングの回る側面に無数の羽根を設けたことを特徴とする、海の支柱海棲生物付着防止リング。
【請求項２】
海の支柱に用いる浮力のあるリングの内面に海面から海底に向かって回転方向に無数の凸部を持つ螺旋形状を設けたことを特徴とする、海の支柱海棲生物付着防止リング。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】
【手続補正書】
【提出日】平成20年4月21日(2008.4.21)
【手続補正１】
【補正対象書類名】明細書
【補正対象項目名】全文
【補正方法】変更
【補正の内容】
【発明の詳細な説明】
【技術分野】
【０００１】  本発明は、海の支柱海棲生物付着防止リングに関するものであり、あり継ぎ手を持つ浮力のあるリングの側面と内面に工夫を加えることで、海の支柱を軸に潮流によって回転力を発生させ、推進力により潜水と浮上を繰り返し、フジツボなどの海棲生物の付着を防止するようにしたものである。
【背景技術】
【０００２】  従来から、海の支柱の海棲生物の付着防止具の例として、特許文献１、特許文献２、特許文献に開示されているものがある。【特許文献１】特開  ２００２−３６００８９号公報
【特許文献２】特開  ２００２−４５０６５号公報
【発明の開示】
【発明が解決しようとする課題】
【０００３】  しかし、従来の海の支柱の海棲生物付着防止具の、特許文献１では、潮流の速いとき、棒状の浮力部が潮流により紐状態を引っ張り、海の支柱に纏わり、潮流の速いときほど、海棲生物付着防止具の上下運動が不都合と思われる。また、特許文献２、では、海の支柱の海面のフジツボなどの海棲生物などに対応できるが、海底までは対応できない。本発明は、このような、不都合を解決することを課題とする。
【課題を解決するための手段】
【０００４】  この課題を解決するための請求項１の発明は、海の支柱に用いる、あり継ぎ手を持つ浮力のあるリングの側面に、無数の羽根を、潮流を受けたとき抵抗が大きい形状に、抵抗の大きい羽根の裏側は抵抗が小さい形状を設けたことを特徴とする、海の支柱海棲生物付着防止リングである。この、海棲生物付着防止リングを海の支柱に用いた場合、側面に潮流の抵抗を大きく受けて、対側面では潮流の抵抗を減らすことができ、潮流をうける、抵抗が大きい形状側と、抵抗が小さな形状側の、潮流をうける抵抗の差で、海の支柱を軸に応用して、回転力を発生させる。【０００５】  また、請求項２の発明は、海の支柱に用いる、あり継ぎ手を持つ浮力のある、リングの内面に、海面から海低に向って、回転方向に無数の凸部を持つ、螺旋形状を設けたことを特徴とする、海の支柱海棲生物付着防止リングである。この、海棲生物付着防止リングを海の支柱に用いた場合、羽根に潮流を受けて回転するとき、凸部を持つ螺旋形状は、水をかく抵抗と海の支柱に凸部が接触し擦る抵抗により繰り下げられ、不規則な動きの回転力で、フジツボなどの海棲生物付着防止をしながら、海面から海底に推進力を発生させる。
【発明の効果】
【０００６】  潮流を応用する本発明により、海の支柱にあり継ぎ手を持つ浮力のある海棲生物付着防止リングを用いた場合、従来のような、潮流により棒状の浮力部が紐状態を引っ張り海の支柱に纏わり、上下動作の不都合は起きず、潮流の強弱または、負荷による回転変化に伴う推進力と浮力のバランスで、浮き沈みの動作を繰り返し海面から海底まで、フジツボなどの海棲生物付着防止をする。
【発明を実施するための最良の形態】
【０００７】  図１は、海の支柱に用いる、４あり継ぎ手を持つ、浮力のあるリングの側面に無数の羽根を設けたことを特徴とする、海の支柱海棲生物付着防止リングの平面図である。同図に示すように、リングの側面に無数の１羽根を、潮流をうけたとき抵抗が大きい形状に、抵抗の大きい１羽根の裏側は抵抗が小さい形状に設けられている。【０００８】  この、海の支柱海棲生物付着防止リングを５海の支柱に用いる場合、側面に潮流の抵抗を大きくうける、対側面は潮流の抵抗を小さくうけることができ、潮流を受けたとき、抵抗が大きい形状側と、抵抗が小さい形状側との抵抗の差で、５海の支柱を軸に応用して、回転力を発生させることができる。【０００９】  図２は、４あり継ぎ手を持つ浮力のあるリングの内面に無数の、３凸部をもつ螺旋形状を設けたことを特徴とする、海の支柱海棲生物付着防止リングの立面図である。同図に示すように、５海の支柱海棲生物付着防止リングの内面に無数の３凸部を持つ２螺旋形状を海面から海底に向って回転方向に設けている。【００１０】  この、海の支柱海棲生物付着防止リングを５海の支柱に用いる場合１側面の羽根に潮流を受け回転するとき、３凸部を持つ２螺旋形状は水をかく抵抗と３凸部が海苔支柱に接触し擦る抵抗により繰り下げられ、不規則な動きの回転力で海面から海底に推進力を発生させることができる。【００１１】  図３は、海の支柱に用いた、４あり継ぎ手を持つ浮力のある海の支柱海棲生物付着防止リングを５海の支柱に用いた立面図である。同図に示すように、５海の支柱海棲付着防止リングは、側面の１羽根に潮流を受けて回転するとき、２螺旋形状と３凸部は、水をかく抵抗と、３凸部が、５海の支柱に接触し擦る抵抗により繰り下げられ、不規則な動きの回転力で満ち潮、引き潮でも、海面から海底までの、フジツボなどの海棲生物付着防止をすることができる。【００１２】  海の支柱海棲生物付着防止リングは、潮流の強弱または、負荷による回転変化に伴う推進力と浮力のバランスで浮き沈みの動作を繰り返し、海面から海底までの、フジツボなどの海棲生物付着防止をすることができる。【００１３】  潮流の止まった時、海の支柱海棲生物付着防止リングは、浮力により海面で波に揺れながら、５海の支柱に接触してフジツボなどの海棲生物付着防止をすることができる。【００１４】  海の支柱海棲生物防止リングの回転方向は、海面から海底に向って回転方向に無数の凸をもつ螺旋形状を設けると、左右どちらの回転方向でもよい。【００１５】  これら、浮力のある海の支柱海棲生物付着防止リングの重量は浮力に合わせて決めればよい。また、サイズは海の支柱に合わせて決め、材料は発泡プラスチックなどがよい。
【産業上利用可能性】
【００１６】  本発明に係わる、海の支柱海棲生物防止リングを使用することで、フジツボなどの海棲生物の除去作業が削減できて、工業的に量産する事が可能であるため、産業上の利用可能性を有する。
【図面の簡単な説明】
【００１７】
【図１】海の支柱海棲生物付着防止リングの平面図である。
【図２】海の支柱海棲生物付着防止リングの立面図である。
【図３】海の支柱に用いた、海の支柱海棲生物付着防止リングの立面図である。
【符号の説明】
【００１８】  １    海棲生物付着防止リングの側面の羽根を示す  ２    海棲生物付着防止リングの内面の螺旋形状を示す  ３    海棲生物付着防止リングの内面の螺旋形状の凸部を示す  ４    海棲生物付着防止リングのあり継ぎ接続部を示す  ５    海の支柱を示す